(57)【要約】【課題】  多数の放送用周波数の中から一部の周波数をプリセットチャンネルとして抽出する際の抽出精度を向上させることができる携帯情報端末を提供する。【解決手段】  放送用周波数テーブル１６ａに保持されている物理チャンネルを順に検波対象とするチャンネルサーチ部２１と、検波対象に指定された物理チャンネルを受信できたか否かを判別する第１判別部２２と、利得調整部１３の利得を第１判別部２２の場合とは異ならせて、検波対象に指定された物理チャンネルを受信できたか否かを判別する第２判別部２３と、第１判別部２２及び第２判別部２３による判別結果に基づいて、プリセットチャンネルを抽出するプリセットチャンネル抽出部２４により構成される。第２判別部２３は、ユーザが予め指定した地域の周波数割当テーブル１７ａと、第１判別部２２による判別結果とに基づいて、判別を行う。【選択図】  図２
2009105800.tif 000002
【特許請求の範囲】
【請求項１】
放送波を受信して受信信号を出力するアンテナと、上記受信信号の利得調整を行う利得調整手段と、利得調整後の受信信号を検波する検波手段とを有し、多数の放送用周波数の中から一部の周波数を選択し、プリセットチャンネルとして保持する携帯情報端末において、
多数の上記放送用周波数を保持する放送用周波数テーブルと、
放送局に対する上記放送用周波数の割当て情報からなる地域ごとの周波数割当テーブルと、
上記放送用周波数テーブル内の上記放送用周波数から１又は２以上のプリセットチャンネルを抽出するチャンネルプリセット手段とを備え、
上記チャンネルプリセット手段が、上記放送用周波数テーブルに保持されている上記放送用周波数を順に検波対象とするチャンネルサーチ手段と、
上記検波対象に指定された放送用周波数を受信できたか否かを判別する第１判別手段と、
上記利得調整手段の利得を上記第１判別手段の場合とは異ならせて、上記検波対象に指定された放送用周波数を受信できたか否かを判別する第２判別手段と、
上記第１判別手段及び上記第２判別手段による判別結果に基づいて、プリセットチャンネルを抽出するプリセットチャンネル抽出手段とからなり、
上記第２判別手段は、ユーザが予め指定した地域の上記周波数割当テーブルと、上記第１判別手段による判別結果とに基づいて、判別を行うことを特徴とする携帯情報端末。
【請求項２】
上記第２判別手段が、上記第１判別手段により受信できなかったと判別された放送用周波数であって、上記周波数割当テーブル上に存在する放送用周波数について、判別を行い、上記周波数割当テーブル上に存在しない放送用周波数については、判別を行わないことを特徴とする請求項１に記載の携帯情報端末。
【請求項３】
上記利得調整手段が、上記受信信号を増幅する増幅器を有し、上記アンテナからの受信信号について上記増幅器を通過させるか否かを選択的に切り替えることによって、受信信号の利得調整を行い、
上記第２判別手段は、利得調整手段の利得を下げさせて、放送用周波数を受信できたか否かを判別することを特徴とする請求項１に記載の携帯情報端末。
【請求項４】
上記放送波が地上の電波塔から送信される地上デジタル放送波であることを特徴とする請求項１に記載の携帯情報端末。
【発明の詳細な説明】
【技術分野】
【０００１】
本発明は、携帯情報端末に係り、さらに詳しくは、多数の放送用周波数の中から一部の周波数を選択し、プリセットチャンネルとして保持する携帯情報端末の改良に関する。
【背景技術】
【０００２】
デジタル変調された放送波を受信し、受信信号を検波して得られる放送信号を再生することができる携帯電話機が知られている。このデジタル変調された放送波は、地上の電波塔から送信されることから、地上デジタル放送波と呼ばれている。地上デジタル放送波の周波数は、放送局ごとに異なり、ＴＶ放送波の場合、視聴可能な物理チャンネルとして、１３チャンネルから６２チャンネルまでの５０チャンネルからなる周波数帯が割り当てられている。
【０００３】
一般に、各放送局に対する物理チャンネルの割当ては、地域ごとに異なっている。ところが、携帯電話機で実際に視聴することができる物理チャンネルは、同じチャンネル割当てが適用される放送エリア内であっても、放送波受信時の端末の位置によって異なる場合がある。さらに、携帯電話機などの携帯可能な情報端末の場合、この様な放送エリア間を移動することも少なくない。そこで、実際に視聴することができる物理チャンネルを探し出して操作キーに自動的に割り付ける技術が提案されている（例えば、特許文献１）。この特許文献１に記載の受信機では、物理チャンネルを走査して実際に受信できた物理チャンネルが抽出され、操作キーに割り付けされる。その際、物理チャンネルの取りこぼしを防ぐために、受信できなかった物理チャンネルのうち、地域別のチャンネル割当てに登録されている物理チャンネルについては、受信可能チャンネルとして操作キーに割り付けされる。しかしながら、上述した受信機では、物理チャンネルの走査時に受信できなかった物理チャンネルであっても、受信可能チャンネルとして操作キーに割り付けされるので、操作キーを操作して当該物理チャンネルの放送を視聴しようとしても視聴できない場合が生じてしまうという問題があった。
【０００４】
一般に、電波塔の近傍のように電波強度が大きな場所では、放送波の相互変調による干渉波の強度が大きくなることから、特定の周波数について放送波が受信できない場合がある。この様な場合に、受信信号の利得を下げて再度検波させ、放送信号を再生させる技術が提案されている（例えば、特許文献２）。そこで、物理チャンネルを走査し、実際に受信できた物理チャンネルを抽出して操作キーに割り付けする際に、受信できなかった物理チャンネルについて、受信信号の利得を下げて再度検波させ、その検波結果に応じて割り付けを行うようにすることが考えられる。しかしながら、この方法では、物理チャンネルの走査時に受信不可と判別される物理チャンネルが多くなればなるほど、受信信号の利得を下げて再度検波させる回数も多くなるので、処理負荷が増大し、物理チャンネルの自動割付けに要する時間が長くなってしまうという問題があった。
【特許文献１】特開２００５−３１８１５２号公報
【特許文献２】特開２００４−１６５７８６号公報
【発明の開示】
【発明が解決しようとする課題】
【０００５】
上述した通り、従来の携帯情報端末では、物理チャンネルの走査時に受信できなかった物理チャンネルであっても、受信可能チャンネルとして操作キーに割り付けされるので、操作キーを操作して当該物理チャンネルの放送を視聴しようとしても視聴できない場合が生じてしまうという問題があった。また、物理チャンネルの走査時に受信不可と判別される物理チャンネルが多くなればなるほど、受信信号の利得を下げて再度検波させる回数も多くなるので、処理負荷が増大し、物理チャンネルの自動割付けに要する時間が長くなってしまうという問題があった。
【０００６】
本発明は、上記事情に鑑みてなされたものであり、多数の放送用周波数の中から一部の周波数をプリセットチャンネルとして抽出する際の抽出精度を向上させることができる携帯情報端末を提供することを目的としている。特に、受信信号を検波することによって得られる放送信号が実際には再生できないにもかかわらず、当該放送信号に対応する放送用周波数がプリセットチャンネルとして抽出されるのを抑制することができる携帯情報端末を提供することを目的としている。
【０００７】
また、本発明は、受信不可と判別される放送用周波数の数が多い場合であっても、プリセットチャンネルの自動抽出に要する時間を増大させることなく、プリセットチャンネルを適切に抽出することができる携帯情報端末を提供することを目的としている。
【課題を解決するための手段】
【０００８】
第１の本発明による携帯情報端末は、放送波を受信して受信信号を出力するアンテナと、上記受信信号の利得調整を行う利得調整手段と、利得調整後の受信信号を検波する検波手段とを有し、多数の放送用周波数の中から一部の周波数を選択し、プリセットチャンネルとして保持する携帯情報端末であって、多数の上記放送用周波数を保持する放送用周波数テーブルと、放送局に対する上記放送用周波数の割当て情報からなる地域ごとの周波数割当テーブルと、上記放送用周波数テーブル内の上記放送用周波数から１又は２以上のプリセットチャンネルを抽出するチャンネルプリセット手段とを備え、上記チャンネルプリセット手段が、上記放送用周波数テーブルに保持されている上記放送用周波数を順に検波対象とするチャンネルサーチ手段と、上記検波対象に指定された放送用周波数を受信できたか否かを判別する第１判別手段と、上記利得調整手段の利得を上記第１判別手段の場合とは異ならせて、上記検波対象に指定された放送用周波数を受信できたか否かを判別する第２判別手段と、上記第１判別手段及び上記第２判別手段による判別結果に基づいて、プリセットチャンネルを抽出するプリセットチャンネル抽出手段とからなり、上記第２判別手段が、ユーザが予め指定した地域の上記周波数割当テーブルと、上記第１判別手段による判別結果とに基づいて、判別を行うように構成される。
【０００９】
この携帯情報端末では、放送用周波数を順に検波対象としてチャンネルサーチが行われ、検波対象に指定された放送用周波数を受信できたか否かが判別される。そして、利得調整手段の利得を異ならせて、検波対象に指定された放送用周波数を受信できたか否かが再度判別され、これらの判別結果に基づいてプリセットチャンネルが抽出される。その際、ユーザが予め指定した地域の周波数割当テーブルと、第１の判別結果とに基づいて、第２の判別が行われる。この様な構成によれば、第１及び第２の判別結果に基づいてプリセットチャンネルを抽出するので、受信信号を検波することによって得られる放送信号が実際には再生できないにもかかわらず、当該放送信号に対応する放送用周波数がプリセットチャンネルとして抽出されるのを抑制することができる。
【００１０】
第２の本発明による携帯情報端末は、上記構成に加え、上記第２判別手段が、上記第１判別手段により受信できなかったと判別された放送用周波数であって、上記周波数割当テーブル上に存在する放送用周波数について、判別を行い、上記周波数割当テーブル上に存在しない放送用周波数については、判別を行わないように構成される。この様な構成によれば、受信できなかったと判別された放送用周波数について、利得を異ならせて再度判別されるので、放送用周波数の取りこぼしを抑制することができる。また、受信できなかったと判別された放送用周波数のうち、ユーザが予め指定した地域の周波数割当テーブル上に存在しない放送用周波数については、再度の判別は行わないので、受信不可と判別される放送用周波数の数が多い場合であっても、プリセットチャンネルの自動抽出に要する時間を増大させることなく、プリセットチャンネルを適切に抽出することができる。
【００１１】
第３の本発明による携帯情報端末は、上記構成に加え、上記利得調整手段が、上記受信信号を増幅する増幅器を有し、上記アンテナからの受信信号について上記増幅器を通過させるか否かを選択的に切り替えることによって、受信信号の利得調整を行い、上記第２判別手段が、利得調整手段の利得を下げさせて、放送用周波数を受信できたか否かを判別するように構成される。
【００１２】
第４の本発明による携帯情報端末は、上記構成に加え、上記放送波が地上の電波塔から送信される地上デジタル放送波であるように構成される。
【発明の効果】
【００１３】
本発明による携帯情報端末によれば、第１及び第２の判別結果に基づいてプリセットチャンネルを抽出するので、受信信号を検波することによって得られる放送信号が実際には再生できないにもかかわらず、当該放送信号に対応する放送用周波数がプリセットチャンネルとして抽出されるのを抑制することができる。
【００１４】
また、受信できなかったと判別された放送用周波数について、利得を異ならせて再度判別されるので、放送用周波数の取りこぼしを抑制することができる。さらに、受信できなかったと判別された放送用周波数のうち、ユーザが予め指定した地域の周波数割当テーブル上に存在しない放送用周波数については、再度の判別は行わないので、受信不可と判別される放送用周波数の数が多い場合であっても、プリセットチャンネルの自動抽出に要する時間を増大させることなく、プリセットチャンネルを適切に抽出することができる。従って、多数の放送用周波数の中から一部の周波数をプリセットチャンネルとして抽出する際の抽出精度を向上させることができる。
【発明を実施するための最良の形態】
【００１５】
図１は、本発明の実施の形態による携帯情報端末の一構成例を示したブロック図であり、携帯情報端末の一例として地上デジタル放送を視聴可能な携帯電話機１が示されている。この携帯電話機１は、地上の電波塔から送信される放送波を受信してＴＶ番組やラジオ番組を視聴し、或いは、データ放送を閲覧することができる携帯可能な情報端末である。
【００１６】
携帯電話機１は、アンテナ１１、帯域制限フィルタ１２、利得調整部１３、検波器１４、再生部１５、物理チャンネル記憶部１６、周波数割当テーブル記憶部１７、操作入力部１８、チャンネルプリセット部１９及びプリセットチャンネル記憶部２０により構成される。
【００１７】
アンテナ１１は、放送波受信用の空中線であり、放送波を受信して受信信号を出力する動作を行っている。帯域制限フィルタ１２は、アンテナ１１からの受信信号について、通過帯域を制限するための回路素子であり、地上デジタル放送波の周波数帯を選択的に通過させる。
【００１８】
利得調整部１３は、受信信号の利得調整を行うゲイン制御回路であり、ＬＮＡ（Low Noise Amplifier：低雑音増幅器）１３ａ及び利得切替スイッチ１３ｂからなる。ＬＮＡ１３ａは、受信信号を増幅するためのブースター回路である。なお、受信信号をＬＮＡ１３ａに電力増幅させる際の増幅率は、固定であるものとする。
【００１９】
利得切替スイッチ１３ｂは、帯域制限フィルタ１２通過後の受信信号について、ＬＮＡ１３ａを通過させるか否かを選択的に切り替えるためのスイッチである。つまり、利得調整部１３では、アンテナ１１からの受信信号について、ＬＮＡ１３ａを通過させるか否かを選択的に切り替えることによって、受信信号の利得調整が行われる。
【００２０】
利得切替スイッチ１３ｂは、通常、ＬＮＡ１３ａを通過させる側が選択されており、放送波が受信できなかった場合に、ＬＮＡ１３ａを通過させずにスルーさせる側が選択される。ここでは、ＬＮＡ１３ａを通過させる側を選択することをＬＮＡオンと呼び、スルーさせる側を選択することをＬＮＡオフと呼ぶことにする。
【００２１】
検波器１４は、利得調整部１３による利得調整後の受信信号を検波し、放送信号を生成する復調回路である。再生部１５は、検波器１４からの放送信号を再生するための出力回路であり、放送番組を構成する映像及び音声を出力し、或いは、データ放送を画面表示する動作を行っている。この再生部１５では、検波器１４による検波結果に基づいて利得調整部１３を制御し、放送波が受信できなかった場合に、ＬＮＡオフに自動的に切り替える動作が行われる。
【００２２】
操作入力部１８は、テンキーなどの操作キーの操作に基づいて、所定の入力信号を生成する入力回路である。テンキーは、発信時に電話番号を入力するための操作キーであり、通常、数字１〜９及び０をそれぞれ割り当てた１０個の数字入力キーがテンキーとして設けられている。
【００２３】
物理チャンネル記憶部１６には、多数の放送用周波数を保持する放送用周波数テーブル１６ａが格納されている。この放送用周波数テーブル１６ａは、放送波の受信用に物理チャンネルとして端末が予め保持している周波数情報であり、端末で受信可能な全ての放送用周波数からなる。
【００２４】
例えば、地上デジタル放送の場合、１３から６２までのチャンネル番号がそれぞれ割り当てられた５０個の物理チャンネルが放送用周波数テーブル１６ａとして保持されている。ここでは、物理チャンネルとして中心周波数がチャンネル番号に関連付けて保持されている。
【００２５】
具体的には、４７０ＭＨｚから７７０ＭＨｚまでの周波数帯が地上デジタル放送用に割り当てられており、チャンネル番号「１３」の物理チャンネルには、中心周波数４７３ＭＨｚが割り当てられている。また、チャンネル番号「１４」の物理チャンネルには、中心周波数４７９ＭＨｚが割り当てられ、チャンネル番号「６２」の物理チャンネルには、中心周波数７６７ＭＨｚが割り当てられている。
【００２６】
周波数割当テーブル記憶部１７には、地域ごとの周波数割当テーブル１７ａが保持されている。この周波数割当テーブル１７ａは、放送エリア内の端末に放送番組を提供する放送局に予め割り当てられている物理チャンネルを当該放送局に関連付けて保持するテーブルであり、視聴可能な放送局に対する放送用周波数の割当て情報からなる。
【００２７】
例えば、周波数割当テーブル<地域Ａ>には、放送局Ａ１１に対して物理チャンネルＡ２１が割り当てられ、放送局Ａ１２に対して物理チャンネルＡ２２が割り当てられ、放送局Ａ１３に対して物理チャンネルＡ２３が割り当てられている。また、周波数割当テーブル<地域Ｂ>には、放送局Ｂ１１に対して物理チャンネルＢ２１が割り当てられ、放送局Ｂ１２に対して物理チャンネルＢ２２が割り当てられている。
【００２８】
この様に周波数割当テーブル記憶部１７には、地域ごとに異なる複数の周波数割当テーブル１７ａが予め保持されている。なお、ここでいう地域は、都道府県などの行政区域や各放送局の放送サービスエリアが考えられる。
【００２９】
チャンネルプリセット部１９では、放送用周波数テーブル１６ａに基づいて検波対象とする物理チャンネルを順に切り替えながら全物理チャンネルを走査し、受信できた物理チャンネルをプリセットチャンネルとして抽出する処理が行われる。
【００３０】
物理チャンネルの走査は、チャンネルプリセットを指示するユーザ操作に基づいて開始される。また、検波対象に指定された物理チャンネルが受信できたか否かは、検波器１４からの放送信号に基づいて判別される。そして、受信できなかった物理チャンネルについては、利得調整部１３の利得を異ならせて、受信できるか否かが再度判別される。その際、利得を異ならせて判別を行うか否かは、ユーザが予め指定した地域の周波数割当テーブル１７ａに基づいて判別される。
【００３１】
プリセットチャンネル記憶部２０には、チャンネルプリセット部１９によって抽出されたプリセットチャンネルがチャンネル情報として保持される。このプリセットチャンネル情報は、物理チャンネルを操作キーに割り付けするのに用いられる。例えば、プリセットチャンネル情報に基づいて物理チャンネルをテンキーに予め割り付けておくことにより、放送番組の視聴時に、受信できる可能性の高い物理チャンネルだけを選局することができる。
【００３２】
ここで、プリセットチャンネルとして物理チャンネルを割り当てる操作キーには、押下型の入力スイッチの他に、アイコンとして画面表示されるものも含まれるものとする。
【００３３】
図２は、図１の携帯電話機１におけるチャンネルプリセット部１９の構成例を示したブロック図である。チャンネルプリセット部１９は、チャンネルサーチ部２１、第１判別部２２、第２判別部２３及びプリセットチャンネル抽出部２４により構成される。
【００３４】
チャンネルサーチ部２１は、物理チャンネル記憶部１６の放送用周波数テーブル１６ａに基づいて、検波対象とする物理チャンネルを順に切り替えながら全物理チャンネルを走査する動作を行っている。
【００３５】
具体的には、放送用周波数テーブル１６ａに保持されている放送用周波数を順に検波対象とするための検波制御信号を検波器１４へ出力し、物理チャンネルを開始チャンネルから終了チャンネルまで順にインクリメントさせる動作が行われる。
【００３６】
第１判別部２２は、検波器１４からの放送信号に基づいて、検波対象に指定された放送用周波数を受信できたか否かを判別する動作を行っている。受信できたか否かの判別は、例えば、放送信号が正常に復号できたか否かを検知することによって行われる。この第１判別部２２による判別は、利得調整部１３をＬＮＡオンに切り替えた状態で行われる。
【００３７】
第２判別部２３は、第１判別部２２による判別結果と、ユーザが予め選択指定した地域の周波数割当テーブル１７ａ上の周波数割当情報とに基づいて、利得調整部１３の利得を第１判別部２２の場合とは異ならせて、検波対象に指定された放送用周波数を受信できたか否かを判別する動作を行っている。
【００３８】
具体的には、第１判別部２２によって受信できなかったと判別された物理チャンネルについて、この物理チャンネルと周波数割当テーブル１７ａ上の周波数割当情報とが比較される。そして、当該物理チャンネルが周波数割当テーブル１７ａ内に存在する場合に、利得調整部１３の利得を下げさせて、受信できるか否かを再度判別する。一方、当該物理チャンネルが周波数割当テーブル１７ａ内に存在しない場合には、判別を行わない。
【００３９】
つまり、第１判別部２２によって受信できなかったと判別された放送用周波数であって、周波数割当テーブル１７ａ上に存在する放送用周波数について、判別を行い、周波数割当テーブル１７ａ上に存在しない放送用周波数については、判別を行わない。
【００４０】
この第２判別部２３では、利得調整部１３の利得を下げさせて、再度判別を行った場合に、受信できないと判別すれば、ユーザに受信不可を通知するために、受信エラーが出力される。
【００４１】
プリセットチャンネル抽出部２４は、第１判別部２２及び第２判別部２３による判別結果に基づいて、放送用周波数テーブル１６ａ内の放送用周波数から受信できた物理チャンネルをプリセットチャンネルとして抽出し、プリセットチャンネル情報を生成する動作を行っている。
【００４２】
図３は、図１の携帯電話機１の動作の一例を示した図であり、プリセットチャンネルをサーチする際の利得調整の様子が示されている。チャンネルプリセットがユーザによって指示された場合、物理チャンネルを１チャンネルずつインクリメントしながら、１３チャンネル（開始チャンネル）から６２チャンネル（終了チャンネル）まで物理チャンネルが走査される。
【００４３】
その際、受信信号の検波結果によって受信できたと判別された物理チャンネルについては、プリセットチャンネル情報として登録され、テンキーに割り付けされる。一方、受信できなかったと判別された物理チャンネルについては、この物理チャンネルと、ユーザによって予め選択指定された地域の周波数割当テーブル１７ａとが比較され、当該物理チャンネルが周波数割当テーブル１７ａ内に存在する場合に、利得を下げて再度検波させる。これに対し、当該物理チャンネルが周波数割当テーブル１７ａ内に存在しない場合には、再度検波は行わない。
【００４４】
この例には、物理チャンネルの１３チャンネル、１６チャンネル、１８チャンネル、５８チャンネル及び６１チャンネルが周波数割当テーブル１７ａに登録されており、そのうち、１６及び５８チャンネルが物理チャンネルの走査時に受信不可と判別された場合が示されている。
【００４５】
すなわち、１３チャンネルから１５チャンネルまでは、ＬＮＡオン状態で受信可能な物理チャンネルがサーチされ、１６チャンネルにおいて、周波数割当テーブル１７ａに登録されているにもかかわらず受信不可と判別されたことで、受信信号の利得をＬＮＡオフに切り替えて同じ周波数での再度の検波が行われている。この再度の検波の結果、受信可能であると判別された場合、その物理チャンネルがプリセットチャンネル情報として登録され、テンキーに割り当てられる。一方、再度の検波の結果、受信不可と判別された場合には、その物理チャンネルは登録されない。
【００４６】
１６チャンネルの再度検波が終了すると、利得がＬＮＡオンに切り替えられ、１７チャンネルから５７チャンネルまで、ＬＮＡオン状態で受信可能な物理チャンネルがサーチされる。そして、５８チャンネルにおいて、周波数割当テーブル１７ａに登録されているにもかかわらず受信不可と判別されたことで、受信信号の利得をＬＮＡオフに切り替えて同じ周波数での再度の検波が行われている。
【００４７】
従来技術では、物理チャンネルの走査時に、受信不可と判別された物理チャンネルであっても、周波数割当テーブル１７ａに登録されていれば、プリセットチャンネルとして操作キーに割り付けされる。このため、放送信号が実際には再生できないにもかかわらず、物理チャンネルが操作キーに割り付けられてしまう場合が生じることとなる。これに対し、本実施の形態では、物理チャンネルの走査時に、受信不可と判別された物理チャンネルのうち、周波数割当テーブル１７ａに登録されているものについては、ＬＮＡオフに切り替えて再度検波させ、その検波結果に応じてプリセットチャンネルの割り付けが行われるので、放送信号が実際には再生できないにもかかわらず、物理チャンネルが操作キーに割り付けられるのを防止することができる。
【００４８】
また、本実施の形態では、物理チャンネルの走査時に、受信不可と判別された物理チャンネルのうち、周波数割当テーブル１７ａに登録されていないものについては、再度の検波は行わないので、受信不可と判別された全ての物理チャンネルについて再度の検波を行わせるのに比べて、上述した様なプリセットチャンネルの自動抽出に要する時間を短縮させることができる。
【００４９】
図４は、図１の携帯電話機１の動作の一例を示した図であり、電波塔からの距離によって変化する受信感度の様子が示されている。一般に、放送波の受信感度は、放送波を送信している電波塔からの距離が所定値以上である場合、距離が大きくなればなるほど、低下する。一方、電波塔からの距離が所定値以下である場合には、放送波の相互変調による干渉波の影響が大きくなることから、距離が小さくなればなるほど、低下する。つまり、受信感度は、電波塔からの距離が０から所定値まで増加するのに従って、単調に増加し、距離が所定値を越えると、距離の増加に従って単調に減少している。
【００５０】
従って、電波塔の近傍エリアＣでは、受信感度が所定レベルＩ１よりも低下し、放送波が受信できなくなる。この例では、電波塔からの距離がＸ１以下の範囲と、距離がＸ２以上の範囲で受信感度が所定レベルＩ１以下となっている。
【００５１】
この様な近傍エリアＣ内にいる場合であっても、受信信号の利得を下げ、すなわち、ＬＮＡオフに切り替えることによって、放送波が受信できるケースがある。本実施の形態では、物理チャンネルの走査時に、受信できなかった物理チャンネルについて、利得を下げて再度検波させるので、物理チャンネルの取りこぼしを防止することができる。
【００５２】
図５のステップＳ１０１〜Ｓ１１２は、図１の携帯電話機１におけるチャンネルプリセット動作の一例を示したフローチャートである。ユーザによりプリセットチャンネルの自動抽出が指示されると、まず、チャンネルサーチ部２１により開始チャンネルが指示され、検波対象とする周波数が設定される（ステップＳ１０１）。このとき、利得調整部１３の利得がＬＮＡオンに切り替えられる（ステップＳ１０２）。
【００５３】
次に、チャンネルサーチ部２１によって設定された周波数の放送波が受信できたか否かが判別され、受信できたと判別された場合に、当該周波数に対応する物理チャンネルをプリセットチャンネルとして登録し、操作キーに割り付けする動作が行われる（ステップＳ１０３，Ｓ１０８）。
【００５４】
一方、受信できなかったと判別された場合、第２判別部２３は、ユーザによって予め選択指定された地域の周波数割当テーブル１７ａを参照し、当該周波数に対応する物理チャンネルが割り当てられた放送局が登録されているか否かを判別する（ステップＳ１０３〜Ｓ１０６）。このとき、放送局が登録されていれば、ＬＮＡオフに切り替えて、ステップＳ１０３からの処理手順を繰り返させる（ステップＳ１０６，Ｓ１０７）。これに対し、放送局が登録されていなければ、受信エラーが出力される（ステップＳ１０６，Ｓ１０９）。
【００５５】
ステップＳ１０８でプリセットチャンネルに登録した後、或いは、ステップＳ１０９で受信エラーを出力した後は、ＬＮＡオンに切り替えられ、検波対象とする物理チャンネルを１チャンネルだけインクリメントして、ステップＳ１０３からの処理手順が繰り返される（ステップＳ１１０〜Ｓ１１２）。
【００５６】
ステップＳ１０７でＬＮＡオフに切り替えられた後、受信できなかったと判別された場合には、受信エラーが出力される（ステップＳ１０４，Ｓ１０９）。ステップＳ１０３からステップＳ１０９までの処理手順は、全ての物理チャンネルについて受信可能であるか否かが判別されるまで繰り返され、この様な物理チャンネルの走査が完了すれば、この処理は終了する（ステップＳ１１０）。
【００５７】
本実施の形態によれば、第１判別部２２及び第２判別部２３による判別結果に基づいてプリセットチャンネルを抽出するので、放送信号が実際には再生できないにもかかわらず、当該放送信号に対応する物理チャンネルがプリセットチャンネルとして抽出されるのを抑制することができる。
【００５８】
また、受信できなかったと判別された物理チャンネルについて、利得を下げて再度判別されるので、物理チャンネルの取りこぼしを抑制することができる。また、受信できなかったと判別された物理チャンネルのうち、ユーザが予め選択指定した地域の周波数割当テーブル１７ａ上に存在しない物理チャンネルについては、再度の判別は行わないので、受信不可と判別される物理チャンネルの数が多い場合であっても、プリセットチャンネルの自動抽出に要する時間を増大させることなく、プリセットチャンネルを適切に抽出することができる。
【図面の簡単な説明】
【００５９】
【図１】本発明の実施の形態による携帯情報端末の一構成例を示したブロック図であり、地上デジタル放送を視聴可能な携帯電話機１が示されている。
【図２】図１の携帯電話機１におけるチャンネルプリセット部１９の構成例を示したブロック図である。
【図３】図１の携帯電話機１の動作の一例を示した図であり、プリセットチャンネルをサーチする際の利得調整の様子が示されている。
【図４】図１の携帯電話機１の動作の一例を示した図であり、電波塔からの距離によって変化する受信感度の様子が示されている。
【図５】図１の携帯電話機１におけるチャンネルプリセット動作の一例を示したフローチャートである。
【符号の説明】
【００６０】
１  携帯電話機
１１  アンテナ
１２  帯域制限フィルタ
１３  利得調整部
１３ａ  ＬＮＡ
１３ｂ  利得切替スイッチ
１４  検波器
１５  再生部
１６  物理チャンネル記憶部
１６ａ  放送用周波数テーブル
１７  放送用周波数テーブル記憶部
１７ａ  周波数割当テーブル
１８  操作入力部
１９  チャンネルプリセット部
２０  プリセットチャンネル記憶部
２１  チャンネルサーチ部
２２  第１判別部
２３  第２判別部
２４  プリセットチャンネル抽出部
【図１】
2009105800.tif 000003
【図２】
2009105800.tif 000004
【図３】
2009105800.tif 000005
【図４】
2009105800.tif 000006
【図５】
2009105800.tif 000007